(57)【特許請求の範囲】
【請求項１】
撮像装置であって、
撮影光束を屈曲させる屈曲光学系を備える鏡筒ユニットと、
前記鏡筒ユニットの一方面側に配置され、前記撮影光束が通過する窓部が形成される外装部材と、
前記鏡筒ユニットと前記外装部材との間に配置される弾性部材と、
前記撮像装置の左右方向に長いリブ形状の突起が形成され、前記鏡筒ユニットの他方面側に位置決め固定される補強部材と、
係合穴が形成され、前記補強部材を覆うように配置されるシャーシ部材と、
前記補強部材と前記シャーシ部材との間に配置されるクッション部材とを有し、
前記弾性部材の一方面が前記外装部材に位置決め固定されるとともに、前記弾性部材の他方面が前記鏡筒ユニットに位置決め固定され、
前記シャーシ部材は、前記クッション部材を圧縮するとともに、前記係合穴が所定のクリアランスを持って前記補強部材の前記突起と係合するように配置され、
前記突起が前記係合穴に当接することで、前記鏡筒ユニットの変位が規制され、
前記鏡筒ユニットは一方端に前面レンズを備えるとともに、他方端に撮像センサを備え、
前記突起は、前記鏡筒ユニットの前記前面レンズと前記撮像センサとの略中間付近に対応する位置に形成されることを特徴とする撮像装置。
【請求項２】
前記鏡筒ユニットには、レンズ群の可動領域である第１の領域と、枠体形状が形成され、前記第１の領域より剛性の高い第２の領域が形成され、
前記クッション部材は前記鏡筒ユニットの前記第２の領域に対応する部分に配置されることを特徴とする請求項１に記載の撮像装置。
【発明の詳細な説明】
【技術分野】
【０００１】
本発明は、撮像装置において光学鏡筒ユニットへの衝撃を緩和する技術に関する。
【背景技術】
【０００２】
近年、デジタルカメラ等の撮像装置は高機能化が進み、耐落下・耐衝撃性を高めたカメラが増えてきている。さらに、カメラ本体の小型化が求められている中で、屈曲光学系等を利用し薄型化された光学鏡筒ユニットを搭載したカメラが提供されている。
【０００３】
従来、光学鏡筒ユニットを外装ケースに対して完全に固定せずに、外装ケースに対して弾性部材を介して付勢して保持するようにした撮像装置が知られている。例えば特許文献１では、ＬＣＤパネルを取り付けるシャーシに光学鏡筒ユニットが固定され、シャーシが弾性部材を介して外装ケースに付勢されながら保持される構成が開示されている。
【０００４】
この構成では、通常状態時には、ＬＣＤパネルの表示面が外装ケースの外形と略面一となる。そして、光学鏡筒ユニットに外力が印加されると、光学鏡筒ユニットとともにＬＣＤパネルが移動して外装ケースの外形から突出することで、デッドスペースをなくしている。
【先行技術文献】
【特許文献】
【０００５】
【特許文献１】特開２０１０−２３７２９７号公報
【発明の概要】
【発明が解決しようとする課題】
【０００６】
しかしながら、特許文献１の撮像装置では、シャーシは弾性部材により本体厚み方向に対して付勢されているだけである。そのため、厚み方向以外の方向、例えば高さ（上下）方向、幅（左右）方向、回転方向への衝撃に対する緩和のための対処は十分でなかった。
【０００７】
また、衝撃が加わった際には弾性部材がつぶれた分だけ外装ケースに対してＬＣＤパネルが外観に突出するので、外観品位が低下するという問題があった。ＬＣＤパネルと外装ケースとの隙間にゴミが詰まるという虞もある。
【０００８】
本発明は上記従来技術の問題を解決するためになされたものであり、その目的は、外観品位を損なうことなく、鏡筒ユニットが上下・左右または厚み方向から受ける衝撃を緩和することにある。
【課題を解決するための手段】
【０００９】
上記目的を達成するために本発明は、撮像装置であって、撮影光束を屈曲させる屈曲光学系を備える鏡筒ユニットと、前記鏡筒ユニットの一方面側に配置され、前記撮影光束が通過する窓部が形成される外装部材と、前記鏡筒ユニットと前記外装部材との間に配置される弾性部材と、前記撮像装置の左右方向に長いリブ形状の突起が形成され、前記鏡筒ユニットの他方面側に位置決め固定される補強部材と、係合穴が形成され、前記補強部材を覆うように配置されるシャーシ部材と、前記補強部材と前記シャーシ部材との間に配置されるクッション部材とを有し、前記弾性部材の一方面が前記外装部材に位置決め固定されるとともに、前記弾性部材の他方面が前記鏡筒ユニットに位置決め固定され、前記シャーシ部材は、前記クッション部材を圧縮するとともに、前記係合穴が所定のクリアランスを持って前記補強部材の前記突起と係合するように配置され、前記突起が前記係合穴に当接することで、前記鏡筒ユニットの変位が規制され、前記鏡筒ユニットは一方端に前面レンズを備えるとともに、他方端に撮像センサを備え、前記突起は、前記鏡筒ユニットの前記前面レンズと前記撮像センサとの略中間付近に対応する位置に形成されることを特徴とする。
【発明の効果】
【００１０】
本発明によれば、外観品位を損なうことなく、鏡筒ユニットが上下・左右または厚み方向から受ける衝撃を緩和することができる。
【図面の簡単な説明】
【００１１】
【図１】本発明の一実施の形態に係る撮像装置の内部を背面側から見た斜視図である。
【図２】前面側から光学鏡筒ユニットを見た光学鏡筒ユニットの外観斜視図（図（ａ））、背面側から光学鏡筒ユニットを見た光学鏡筒ユニットの外観斜視図（図（ｂ））、前面側から弾性部材を見た弾性部材の外観斜視図（図（ｃ））、背面側から弾性部材を見た弾性部材の外観斜視図（図（ｄ））である。
【図３】リアカバーを除く本撮像装置の分解斜視図である。
【図４】前面側から補強部材を見た補強部材の外観斜視図（図（ａ））、背面側から補強部材を見た補強部材の外観斜視図（図（ｂ））、補強部材を光学鏡筒ユニットに取り付ける様子を説明する図（図（ｃ））である。
【図５】リアシートおよびフレキシブル基板を取り外した光学鏡筒ユニットの背面図（図（ａ））、デジタルカメラの内部を示す背面図（図（ｂ））である。
【図６】デジタルカメラの内部を示す背面図（図（ａ））、図６(ａ)のＡ−Ａ線に沿う断面図（図（ｂ））である。
【発明を実施するための形態】
【００１２】
以下、本発明の実施の形態を図面を参照して説明する。
【００１３】
図１は、本発明の一実施の形態に係る撮像装置の内部を背面側から見た斜視図である。
【００１４】
この撮像装置は、例えばデジタルカメラとして構成される。合成樹脂材料で形成された外装部材としてのフロントカバー１０１がデジタルカメラの前面を覆う。フロントカバー１０１には、撮影光束が通過する窓部１０１ｃが形成される。
【００１５】
デジタルカメラの右側面には、ジャックカバー１０２がフロントカバー１０１に対して開閉可能に取り付けられる。ジャックカバー１０２は、デジタルカメラと外部機器とを接続する際に使用される。デジタルカメラの底面には、バッテリーカバー１０３がフロントカバー１０１に対して開閉可能に取り付けられる。バッテリーカバー１０３を開けることで電池メモリカードを交換することができる。
【００１６】
デジタルカメラの上面には、トップカバー１０４が取り付けられている。トップカバー１０４には、電源ボタン１０５、レリーズボタン１０６、再生ボタン１０７が押圧操作可能に取り付けられている。デジタルカメラの左側において、フロントカバー１０１に対して鏡筒ステー１０８が位置決め固定される。鏡筒ステー１０８は板金材料で形成され、後述するメインシャーシ１１６をビス締め固定する際の座面を構成するとともに本体側面の剛性を保つ役割を果たす。
【００１７】
本実施形態では、デジタルカメラの厚み方向を前後方向と定義する。また、上下方向については、トップカバー１０４が取り付けられる側をデジタルカメラの上側と定義し、バッテリーカバー１０３が取り付けられる側をデジタルカメラの下側と定義する。鏡筒ステー１０８が取り付けられる側をデジタルカメラの左側と定義し、ジャックカバー１０２が取り付けられる側をデジタルカメラの右側と定義する。
【００１８】
光学鏡筒ユニット１１１は、フロントカバー１０１の内側、すなわち背面側に配置される。すなわち、フロントカバー１０１は光学鏡筒ユニット１１１の一方面側に配置され、弾性部材１０９は、フロントカバー１０１と光学鏡筒ユニット１１１との間に挟まれるように配置される。
【００１９】
光学鏡筒ユニット１１１は、撮影レンズ、絞り機能を備えるシャッタ、撮影された光学像を電気信号に変換するための撮像センサ１１１ｆ（図２(ａ)に図示）等を備える。弾性部材１０９は、光学鏡筒ユニット１１１をフロントカバー１０１に対して弾性的に位置決め固定する部材であり、弾性変形可能な材料、例えばエラストマで一体的に形成されている。ただし弾性変形可能な材料であればよく、エラストマに限定されない。
【００２０】
光学鏡筒ユニット１１１の背面側（他方面側）には補強部材１１０が位置決め固定される。補強部材１１０は、光学鏡筒ユニット１１１の背面側（他方面側）を補強する補強部材として機能する。補強部材１１０の背面側には圧縮変形可能なクッション部材１１５が複数、例えば５つ貼りつけられている。クッション部材１１５は圧縮変形可能なスポンジ等の弾性・緩衝性を有する部材であればよく、材料の種類問わない。
【００２１】
光学鏡筒ユニット１１１には、フレキシブル基板１１２、１１３、１１４が配置される。フレキシブル基板１１２には、撮像センサ１１１ｆが実装される。フレキシブル基板１１３には、シャッタおよび撮影レンズの位置を検出するフォトインタラプタが実装される。フレキシブル基板１１３には、ＩＳ（Image Stabilizer）駆動機構が実装される。フレキシブル基板１１２、１１３、１１４は、図示しないメイン基板にコネクタ等によりそれぞれ接続される。
【００２２】
図２(ａ)は、前面側から光学鏡筒ユニット１１１を見た光学鏡筒ユニット１１１の外観斜視図である。図２(ｂ)は、背面側から光学鏡筒ユニット１１１を見た光学鏡筒ユニット１１１の外観斜視図である。
【００２３】
図２(ａ)に図示するように、光学鏡筒ユニット１１１の前面側には、位置決めボス１１１ａが突出形成される。光学鏡筒ユニット１１１の上部にはガラスで形成された前面レンズ１１１ｅが配置され、光学鏡筒ユニット１１１の下部には光学像を電気信号へと変換する撮像センサ１１１ｆが配置される。光学鏡筒ユニット１１１は屈曲光学系を備え、前面レンズ１１１ｅから入光した画像を内部の不図示のプリズムを介して屈曲させて撮像センサ１１１ｆに導く。
【００２４】
図２(ｂ)に図示するように、光学鏡筒ユニット１１１の背面側には位置決め孔１１１ｂが形成される。光学鏡筒ユニット１１１は、その前面側が合成樹脂材料で形成されたフロントフレーム１１１ｃで覆われている。光学鏡筒ユニット１１１の背面側では、シート状のＰＥＴ材料で形成されたリアシート１１１ｄが複数の固定テープ１１１ｇによってフロントフレーム１１１ｃに固定される。これによって、光学鏡筒ユニット１１１の背面側は塞がれる構成となっている。
【００２５】
図２(ｃ)は、前面側から弾性部材１０９を見た弾性部材１０９の外観斜視図である。図２(ｄ)は、背面側から弾性部材１０９を見た弾性部材１０９の外観斜視図である。
【００２６】
図２(ｄ)に図示するように、弾性部材１０９には、位置決め孔１０９ａが２つ形成される。光学鏡筒ユニット１１１の位置決めボス１１１ａと位置決め孔１０９ａとが嵌合することで、弾性部材１０９は光学鏡筒ユニット１１１に位置決めされる。図２(ｃ)に図示するように、弾性部材１０９の前面側には、ボス１０９ｂが２つ突出形成される。ボス１０９ｂによって、弾性部材１０９は、フロントカバー１０１に位置決めされる。これによって、フロントカバー１０１の窓部１０１ｃの位置と光学鏡筒ユニット１１１の前面レンズ１１１ｅの位置とを一致させることができる。図２(ｃ)に図示するように、弾性部材１０９の前面側には、両面テープ１０９ｃが貼着される。弾性部材１０９は、両面テープ１０９ｃによってフロントカバー１０１の背面側に接着固定される。  図３は、デジタルカメラの分解斜視図である。図３では、リアカバーを省略している。図４(ａ)は、前面側から補強部材１１０を見た補強部材１１０の外観斜視図である。図４(ｂ)は、背面側から補強部材１１０を見た補強部材１１０の外観斜視図である。図４(ｃ)は、補強部材１１０を光学鏡筒ユニット１１１に取り付ける様子を説明する図である。
【００２７】
補強部材１１０は、合成樹脂材料で形成される。図４(ａ)に図示するように、補強部材１１０の前面側には、位置決めボス１１０ａが２つ突出形成されている。また、図４(ｂ)に示すように、補強部材１１０の背面側には、突起部１１０ｂが突出形成されている。突起部１１０ｂはデジタルカメラの左右方向に長いリブ形状を有する。補強部材１１０の背面側には、クッション部材１１５が張り付けられる貼り付け部１１０ｃが５箇所に設けられる。
【００２８】
図３に図示するように、フロントカバー１０１の背面側には、鏡筒ステー１０８がビス１１８によって固定されている。また、鏡筒ステー１０８の内側側面部には光学鏡筒ユニット１１１の側面部を保護するための保護クッション１１７が貼着されている。図２(ｃ)に図示するように、フロントカバー１０１の背面側には、弾性部材１０９の位置決めボス１０９ｂが嵌合する弾性部材１０９位置決め孔１０１ａが２か所に形成されている。位置決めボス１０９ｂと位置決め孔１０１ａとの嵌合によって、弾性部材１０９はフロントカバー１０１に位置決めされる。図２(ｃ)に図示するように、弾性部材１０９は、両面テープ１０９ｃによってフロントカバー１０１の背面側に接着固定される。
【００２９】
図３、図４で、光学鏡筒ユニット１１１の固定方法を説明する。
【００３０】
まず、弾性部材１０９の位置決めボス１０９ｂ（図２(ｃ)に図示）とフロントカバー１０１の位置決め孔１０１ａ（図２(ａ)に図示）とを嵌合させることで、弾性部材１０９をフロントカバー１０１に対して位置決めする。その際、弾性部材１０９は、両面テープ１０９ｃによってフロントカバー１０１の平面部１０１ｂに接着固定される。これにより、弾性部材１０９はフロントカバー１０１の背面側に固定される。
【００３１】
次に光学鏡筒ユニット１１１の２か所の位置決めボス１１１ａ（図２(ａ)に図示）と弾性部材１０９の対応する位置決め孔１０９ａ（図２(ｃ)、(ｄ)に図示）とを嵌合させる。すると、光学鏡筒ユニット１１１は、平面方向（上下及び左右に平行な方向）における位置が決まる。ここで、光学鏡筒ユニット１１１は、弾性変形可能な材料で形成された弾性部材１０９を介してフロントカバー１０１に固定されるため、平面方向においても弾性的に保持される。従って、平面方向の衝撃が加わった際に位置決めボス１１１ａが破損するのが防止される。
【００３２】
次に、光学鏡筒ユニット１１１の位置決め孔１１１ｂ（図２(ｂ)に図示）と補強部材１１０の位置決めボス１１０ａ（図４(ａ)に図示）とを嵌合させる。これによって、補強部材１１０は光学鏡筒ユニット１１１に位置決めされる。補強部材１１０は光学鏡筒ユニット１１１と一体となって移動する。
【００３３】
補強部材１１０の背面の貼り付け部１１０ｃ（図４(ｂ)に図示）には５つのクッション部材１１５が接着固定される（図３に図示）。メインシャーシ１１６は、クッション部材１１５を圧縮した状態で背面側からフロントカバー１０１に組み付けられる。すなわち、メインシャーシ１１６は、鏡筒ステー１０８及び図示しない本体の構成部品である電池ボックスに対して複数の締結ビスで固定される。メインシャーシ１１６が固定されると、メインシャーシ１１６によってクッション部材１１５が圧縮される。メインシャーシ１１６はシャーシ部材に相当する。
【００３４】
複数のクッション部材１１５が圧縮状態となることで、クッション部材１１５の反発力により、補強部材１１０及び光学鏡筒ユニット１１１が一体でフロントカバー１０１側（前面側）へと付勢される。ここで、光学鏡筒ユニット１１１は補強部材１１０と一体的に前方へ付勢されているが、クッション部材１１５の変形可能な範囲においてはカメラ本体の厚み方向への移動が可能である。例えば落下等でカメラ本体に厚み方向への衝撃が加わった際には、クッション部材１１５により衝撃力が緩和され、衝撃が光学鏡筒ユニット１１１に直接に伝わらない。
【００３５】
図３に図示するように、メインシャーシ１１６には、補強部材１１０の突起部１１０ｂに対応する横長の係合穴１１６ａが形成されている。メインシャーシ１１６の組み付け時に係合穴１１６ａと突起部１１０ｂとを嵌合したとき、突起部１１０ｂに対して上下及び左右において所定のクリアランスが確保されるように係合穴１１６ａの寸法が設定されている。
【００３６】
ここで、所定のクリアランスが必要な理由の１つは、係合穴１１６ａに突起部１１０ｂが接触することで光学鏡筒ユニット１１１の位置決め精度が悪化するのを防止するためである。一方、カメラ本体に対して落下衝撃が加わった際には、突起部１１０ｂと係合穴１１６ａとが当接するので、光学鏡筒ユニット１１１が上下または左右方向に変位し過ぎることが規制される効果も期待できる。
【００３７】
すなわち、光学鏡筒ユニット１１１は、上下・左右方向については、位置決めボス１１１ａ（図２(ａ)に図示）と弾性部材１０９の位置決め孔１０９ａとの嵌合により位置決めされるが、弾性部材１０９の弾性により上下・左右方向に変位し得る。ところが、弾性部材１０９が過剰に弾性変形するような状況では突起部１１０ｂと係合穴１１６ａとが当接する。これにより、カメラ本体内における光学鏡筒ユニット１１１の上下・左右方向への過剰な変位が規制され、光学鏡筒ユニット１１１が隣接部品と衝突することも防止される。
【００３８】
さらに、係合穴１１６ａと突起部１１０ｂとの接触により、光学鏡筒ユニット１１１の回転変位を規制するという効果もあるが、これについては図６で後述する。
【００３９】
図５(ａ)は、リアシート１１１ｄおよびフレキシブル基板１１２を取り外した光学鏡筒ユニット１１１の背面図である。図５(ｂ)は、デジタルカメラの内部を示す背面図である。図５(ｂ)では、メインシャーシ１１６およびフレキシブル基板１１２は取り外されている。
【００４０】
図５(ａ)に図示するように、光学鏡筒ユニット１１１のフロントフレーム１１１ｃの上部に、ズームレンズ群（不図示）を保持するズームレンズホルダ１２１、ズームモータ１１９、リードスクリュー１２０、及びシャッタユニット１２５が収納される。ズームレンズホルダ１２１は内部に複数のズームレンズを保持するとともに、リードスクリュー１２０（雄ネジ）に係合して上下移動するための雌ネジが内側に形成された係合部１２１ａを持つ。これにより、駆動源であるズームモータ１１９が回転するとリードスクリュー１２０は同方向へ回転し、これと係合するズームレンズホルダ１２１はズームレンズの倍率を変化させる方向へと移動を行う。
【００４１】
同様に、フロントフレーム１１１ｃの下部に、フォーカスレンズ群（不図示）を保持するフォーカスレンズホルダ１２４、フォーカスモータ１２２、リードスクリュー１２３が収納される。フォーカスレンズホルダ１２４は内部に複数のフォーカスレンズを保持するとともに、リードスクリュー１２３（雄ネジ）に係合して上下移動するための雌ネジが内側に形成された係合部１２４ａを持つ。これにより、駆動源であるフォーカスモータ１２２が回転するとリードスクリュー１２３は同方向へ回転し、これと係合するフォーカスレンズホルダ１２４はフォーカスレンズのピントを調節する方向へと移動を行う。
【００４２】
光学鏡筒ユニット１１１は、手触れ防止のための防振機構を収納するＩＳユニット１２６を備える。ＩＳユニット１２６は、不図示の内部のＩＳレンズ（防振レンズ）を光軸と直交する方向に対して移動させることによって撮影画像のブレを防止する。
【００４３】
ズームレンズホルダ１２１及びフォーカスレンズホルダ１２４は図５(ａ)の矢印方向（上下方向）に対して移動可能に構成されるため、光学鏡筒ユニット１１１の内部にはレンズ群が移動するための空間が必要となる。そのため、光学鏡筒ユニット１１１内にはレンズ群の可動領域である空間部Ｓと、フロントフレーム１１１ｃの枠体形状が形成されて空間部Ｓよりも剛性の高い高剛性領域Ｇが存在する。高剛性領域Ｇは、背面視において、フロントフレーム１１１ｃの肉部が存在する領域である。空間部Ｓが第１の領域に相当し、高剛性領域Ｇが第２の領域に相当する。
【００４４】
図５(ｂ)に示すように、補強部材１１０の背面の複数のクッション部材１１５は、空間部Ｓを避けて高剛性領域Ｇに対応する位置に配置される。すなわち、光学鏡筒ユニット１１１の中の可動部品であるズームレンズホルダ１２１やフォーカスレンズホルダ１２４が可動するための領域の対応位置を避けてクッション部材１１５が配置される。
【００４５】
このような配置によって、背面から複数のクッション部材１１５が圧縮されて付勢力が働いた際には剛性が高い領域で力を受けることになる。そのため光学鏡筒ユニット１１１の空間部Ｓに力がかからないようにして光学鏡筒ユニット１１１の過剰な変形を防止することが可能となり、可動部品の適切な可動を確保することができる。
【００４６】
図６(ａ)は、デジタルカメラの内部を示す背面図である。図６(ａ)は、図５(ｂ)に図示する状態にメインシャーシ１１６を取り付けた状態である。図６(ｂ)は、図６(ａ)のＡ−Ａ線に沿う断面図である。
【００４７】
ここで、補強部材１１０の突起部１１０ｂがメインシャーシ１１６の係合穴１１６ａに挿入されているため、光学鏡筒ユニット１１１は図６(ｂ)中に矢印で示す回転方向Ｂ、Ｃへの回転が規制される。すなわち、突起部１１０ｂと係合穴１１６ａとが適当なクリアランスを保って嵌合されることで、左右方向の軸線を中心とした光学鏡筒ユニット１１１の回転変位（あおり）の量を適切に規制することができる。
【００４８】
特に、回転方向Ｂへの回転が規制されることで、光学鏡筒ユニット１１１の上部の前面レンズ１１１ｅがフロントカバー１０１の保護レンズ１０１ｃに衝突して互いに損傷することが防止される。また、回転方向Ｃへの回転が規制されることで、光学鏡筒ユニット１１１の下部の撮像センサ１１１ｆがフロントカバー１０１の内壁に衝突して撮像センサ１１１ｆの位置精度が悪化することが防止される。
【００４９】
ここで、補強部材１１０の突起部１１０ｂの上下方向の位置は、図６(ｂ)に示すように、前面レンズ１１１ｅと撮像センサ１１１ｆの略中間付近である。これにより、回転方向Ｂ、Ｃの両方の移動量がほぼ均等になる。
【００５０】
本実施の形態によれば、光学鏡筒ユニット１１１の位置決めボス１１１ａを弾性部材である弾性部材１０９の位置決め孔１０９ａに嵌合する。それと共に、クッション部材１１５を圧縮した状態でメインシャーシ１１６を背面側からフロントカバー１０１に固定した。
【００５１】
これにより、まず、弾性部材１０９及びクッション部材１１５の弾性により、光学鏡筒ユニット１１１がカメラ本体の厚み方向から受ける衝撃を緩和することができる。また、位置決め孔１０９ａと位置決めボス１１１ａとが嵌合されていることから、弾性部材１０９の弾性によって、光学鏡筒ユニット１１１が上下・左右方向から受ける衝撃を緩和することができる。しかも、光学鏡筒ユニット１１１が弾性的に変位したとしても、それによりカメラ本体の外側に突出するようなことがないので、外観品位を損なうことなく、ゴミが詰まるような隙間も生じない。よって、外観品位を損なうことなく、光学鏡筒ユニット１１１が上下・左右または厚み方向から受ける衝撃を緩和することができる。
【００５２】
また、メインシャーシ１１６の係合穴１１６ａに補強部材１１０の突起部１１０ｂがクリアランスを保って嵌合されることで、左右方向の軸線を中心とした光学鏡筒ユニット１１１の回転変位が適切に規制される。これにより、光学鏡筒ユニット１１１の回転変位（あおり）の量を適切に規制することができると共に、上下・左右方向の過剰な変位を規制することができる。
【００５３】
しかも、光学鏡筒ユニット１１１は屈曲光学系を有し、一方端に前面レンズ１１１ｅを備えるとともに、他方端に撮像センサ１１１ｆを備える。突起部１１０ｂは、上下方向における前面レンズ１１１ｅと撮像センサ１１１ｆとの略中間に位置する。これにより、光学鏡筒ユニット１１１が回転変位したときの前面レンズ１１１ｅと撮像センサ１１１ｆとの変位量を均一にし、損傷や精度悪化を回避することができる。
【００５４】
また、クッション部材１１５は、補強部材１１０の背面のうち、光学鏡筒ユニット１１１の中の可動部品（ズームレンズホルダ１２１やフォーカスレンズホルダ１２４）の可動領域を避けて配置される。これにより、光学鏡筒ユニット１１１の空間部Ｓを避けて高剛性領域Ｇに対応する位置にクッション部材１１５が配置されることになり、空間部Ｓに力がかからないようにして、光学鏡筒ユニット１１１の過剰な変形を防止することができる。
【００５５】
なお、クッション部材１１５の数は５つに限られないが、光学鏡筒ユニット１１１を安定的に保持する観点から、クッション部材１１５の少なくとも一部の部分が、突起部１１０ｂの上下及び左右に存在するのが好ましい。
【００５６】
以上、本発明をその好適な実施形態に基づいて詳述してきたが、本発明はこれら特定の実施形態に限られるものではなく、この発明の要旨を逸脱しない範囲の様々な形態も本発明に含まれる。
【符号の説明】
【００５７】
１０９  弾性部材
１０９ａ  位置決め孔
１０１  フロントカバー
１１０  補強部材
１１０ｂ  突起部
１１１  光学鏡筒ユニット
１１１ａ  位置決めボス
１１５  クッション部材
１１６  メインシャーシ
１１６ａ  係合穴
【図１】
0006004726.tif 000002
【図２】
0006004726.tif 000003
【図３】
0006004726.tif 000004
【図４】
0006004726.tif 000005
【図５】
0006004726.tif 000006
【図６】
0006004726.tif 000007